(57)【要約】      （修正有）【課題】土のう袋内に収容された吸水体が偏ることなく容易に攪拌される吸水性袋土のう袋、および吸水性袋土のう袋の形成方法を提供する。【解決手段】側部と底部とを有する有色不透明のポリエチレンなどによる不透水性の内袋１２０では、隔壁部１２２が、内袋１２０における縦方向の側部から内袋１２０の底部にかけて、内袋１２０を起立させた時に吸水体１３０を袋体の中央部へ誘導し、織布製の外袋１１０が、内袋１２０を収容する。【選択図】図１
2020133107.tif 000002
【特許請求の範囲】
【請求項１】
水分を吸水した吸水体を内容物とする吸水性土のう袋において、  側部と底部とを有する袋体であって、前記側部から前記底部にかけて、前記袋体の起立時に前記吸水体を前記袋体の中央部へ誘導する傾斜部を備える不透水性の内袋と、  前記内袋を収容する織布製の外袋と、  を備えることを特徴とする吸水性土のう袋。
【請求項２】
前記内袋は矩形の平袋であって、  前記傾斜部は、  前記側部から前記底部にかけて形成された傾斜壁であること、  を特徴とする請求項１記載の吸水性土のう袋。
【請求項３】
前記傾斜壁は、  前記側部の前側面と後側面とを溶着した溶着壁であること、  を特徴とする請求項２記載の吸水性土のう袋。
【請求項４】
前記傾斜壁は、  前記側部から前記底部にかけて外側に屈曲した曲線であること、  を特徴とする請求項３記載の吸水性土のう袋。
【請求項５】
前記内袋は、  前記傾斜壁を越えて外側に形成された前記平袋の側端部が除去されたこと、  を特徴とする請求項２記載の吸水性土のう袋。
【請求項６】
前記内袋は、  前記傾斜壁から外側に形成された前記平袋の側端部が圧着されたこと、  を特徴とする請求項２記載の吸水性土のう袋。
【請求項７】
前記外袋は、  前記内袋の代わりに、前記外袋の内側面に不透水化させる不透水手段、  を備え、  前記不透水手段を備えた外袋は、  前記外袋を構成する外袋側部から外袋底部にかけて、前記不透水手段を備えた外袋の起立時に前記吸水体を前記不透水手段を備えた外袋の中央部へ誘導する外袋傾斜部、  を備えることを特徴とする請求項１記載の吸水性土のう袋。
【請求項８】
前記傾斜部は、  注水後に前記内袋を縛って閉口するために十分な高さを前記側部に残して形成されること、  を特徴とする請求項１記載の吸水性土のう袋。
【請求項９】
前記吸水体は、  粉末状の高吸水性樹脂であること、  を特徴とする請求項１記載の吸水性土のう袋。
【請求項１０】
前記内袋は、  紫外線から前記吸水体を保護する紫外線保護手段、  を備えていることを特徴とする請求項１記載の吸水性土のう袋。
【請求項１１】
水分を吸水した吸水体を内容物とする吸水性土のう袋の製造方法において、  側部と底部とを有する前記吸水体を収容するための不透水性の内袋の前記側部から前記底部にかけて、前記袋体の起立時に前記吸水体を前記袋体の中央部へ誘導する傾斜部を形成する工程と、  前記内袋を織布製の外袋に収容する工程と、  前記内袋に前記吸水体を収容する工程と、  を備えることを特徴とする吸水性土のう袋の製造方法。  
【発明の詳細な説明】
【技術分野】
【０００１】
本発明は、吸水性袋土のう袋、および吸水性袋土のう袋の形成方法に関し、特に水を吸水した吸水体を内容物とする吸水性の土のう袋に関する。
【背景技術】
【０００２】
従来から、布袋の中に土砂を詰めて用いる土木資材である土のうが知られている。土のうは、麻袋などの布袋に土砂を詰めて縛り、それらを並べて積み上げることで、大雨時の河川氾濫を防いだり、建物内への浸水を防止したりすることができる。  
【０００３】
土砂を詰める土のうは、大量の土砂を必要とするため、災害時用に大量の土砂を保管しておく必要がある。近年では、土砂を布袋内に詰める作業を軽減したり、布袋内に詰める土砂の保管領域を少なくしたりするため、土砂を布袋内に詰めない吸水性ポリマーを使用した土のう袋が開発されている（例えば、特許文献１参照）。
【先行技術文献】
【特許文献】
【０００４】
【特許文献１】特開２００１−５９２１１号公報
【発明の概要】
【発明が解決しようとする課題】
【０００５】
しかし、水を吸水するために布袋内に収められた吸水性ポリマーは、粉末状の粒子であるため、布袋内に注水しても吸水性ポリマーが均一に攪拌されないため吸水性ポリマーに偏りがしょうじてしまい、土のう全体での保水能力が低下してしまう問題があった。  
【０００６】
図１１は、吸水性ポリマーを使用した従来の土のう袋を示す図である。  図１１に示すように、土のう袋１０は、外袋１１、および吸水体１２を備えている。  外袋１１は、例えば綿、麻、ジュート、合繊繊維などで吸水性ポリマー粒子を通過させない程度に織り込まれ、上部が開口された袋体である。外袋１１の上部開口部には、開口部を閉じるための綴じ紐１１Ａが備えられている。  
【０００７】
吸水体１２は外袋１１の内部に収容され、外袋１１の内部に注水された水を吸水するためのものであり、例えば粉末状の吸水性ポリマーである。この吸水体１２が、注水された水の中で攪拌されながら吸水し、やがてゼリー状に固化する。  
【０００８】
図１２は、吸水性ポリマーを使用した従来の土のう袋に注水する様子を示す図である。  図１２に示すように、土のう袋１０は、例えば折返部１１Ｂのように外袋１１の上部を外側に折り返して上部開口部を広げた状態で地面２０の上で安定させ、外袋１１に収容された吸水体１２の上から水３０を注水する。  
【０００９】
このとき、土のう袋１０と地面２０とが接する部分では、外袋１１の内部に収容された吸水体１２の重量により吸水体１２が土のう袋１０の外側に広がるため、外袋１１の下側隅部１１Ｃでは内部に吸水体１２を含んだ状態で外袋１１の下側閉口部と外袋１１の側面とがやや折り重なった状態で外側に広がる。  
【００１０】
このため下側隅部１１Ｃ付近に収容された吸水体１２は、外袋１１の中央部付近に収容された吸水体１２と比較して攪拌されにくく、うまく吸水できない状態の吸水体１２が下側隅部１１Ｃに残ってしまっていた。  
【００１１】
このため土のう袋１０の内部に必要な水３０を注水しても、吸水できない状態の吸水体１２が下側隅部１１Ｃに残ってしまうため、吸水体１２が必要な水３０を吸水することができないため土のう全体での保水能力が低下し完全に固化することができない。このため土のうが固化せずに不安定になる、必要な容積の土のうが形成できない、などの問題につながる恐れがあった。  
【００１２】
この下側隅部１１Ｃに残ってしまう吸水体１２を水３０と攪拌させるためには、注水後に長い棒などの撹拌棒を外袋１１の内部に入れて、下側隅部１１Ｃ付近をかき混ぜて攪拌させることが考えられる。  
【００１３】
しかし土のう袋に水を注水した後に、ひとつひとつ土のう袋の中に撹拌棒をいれて下側隅部１１Ｃ付近をかき混ぜるのは非常に手間であり、煩わしさを伴う作業であって。また外袋１１の下側隅部１１Ｃ付近で撹拌棒をかき混ぜるため、撹拌棒の先端が外袋１１の内側と接触し、外袋１１を損傷させてしまう恐れがある。  
【００１４】
万が一、外袋１１に穴があいてしまった場合、外袋１１から吸水体１２や水３０、または水３０を吸水したゼリー状に固化した吸水性ポリマーが外袋１１に生じた穴から漏出してしまうことが考えられる。  
【００１５】
このように外袋１１から漏出したゼリー状の吸水性ポリマーは、作業員が踏んでしまうと、滑って転倒することが考えられ非常に危険である。また、時間と共に外袋１１に生じた穴から漏出したゼリー状の吸水性ポリマーは、土のうの積み上げ時に、土のうと土のうとの摩擦を軽減させる潤滑剤となってしまい、積み上げた土のうが崩壊してしまう危険性が考えられる。  このため外袋１１を傷つけることなく外袋１１の下側隅部１１Ｃ付近に残りやすい吸水体１２を土のう袋１０内全体で攪拌させることは非常に重要なことである。  
【００１６】
本発明はこのような点に鑑みてなされたものであり、土のう袋内に収容された吸水体が偏ることなく容易に攪拌される吸水性袋土のう袋、および吸水性袋土のう袋の形成方法を提供することを目的とする。
【課題を解決するための手段】
【００１７】
本発明では上記問題を解決するために、水分を吸水した吸水体を内容物とする吸水性土のう袋において、側部と底部とを有する袋体であって、前記側部から前記底部にかけて、前記袋体の起立時に前記吸水体を前記袋体の中央部へ誘導する傾斜部を備える不透水性の内袋と、前記内袋を収容する織布製の外袋とを備えることを特徴とする吸水性土のう袋が提供される。  
【００１８】
これにより、不透水性の内袋では、傾斜部が、側部と底部とを有する袋体であって、側部から底部にかけて、袋体の起立時に吸水体を袋体の中央部へ誘導し、織布製の外袋が、内袋を収容する。  
【００１９】
また、本発明では、水分を吸水した吸水体を内容物とする吸水性土のう袋の製造方法において、  側部と底部とを有する前記吸水体を収容するための不透水性の内袋の前記側部から前記底部にかけて、前記袋体の起立時に前記吸水体を前記袋体の中央部へ誘導する傾斜部を形成する工程と、前記内袋を織布製の外袋に収容する工程と、前記内袋に前記吸水体を収容する工程とを備えることを特徴とする吸水性土のう袋の製造方法が提供される。  
【００２０】
これにより、不透水性の内袋では、傾斜部が、側部と底部とを有する袋体であって、側部から底部にかけて、袋体の起立時に吸水体を袋体の中央部へ誘導し、織布製の外袋が、内袋を収容する。
【発明の効果】
【００２１】
本発明の吸水性袋土のう袋、および吸水性袋土のう袋の形成方法によれば、不透水性の内袋は、分離領域が、吸水体を収容する袋体の閉口した底部に形成された隅部で、隅部と内容物を収容する内部領域とを分離し、織布製の外袋が、内袋を収容するので、土のう袋内に収容された吸水体が偏ることなく容易に攪拌することができる。
【図面の簡単な説明】
【００２２】
【図１】本実施の形態に係る土のう袋の構成を示す断面図である。
【図２】外袋の詳細を示す図である。
【図３】内袋の詳細を示す図である。
【図４】分離領域の形状例を示す図である。
【図５】吸水体の詳細を示す図である。
【図６】吸水体による吸水の前後を示す図である。
【図７】土のうの形成工程の一部である注入開始準備状態を示す図である。
【図８】土のうの形成工程の一部である注水工程を示す図である。
【図９】土のうの形成工程の一部である注水工程の後の状態を示す図である。
【図１０】吸水した吸水体を含んだ土のう袋を縛る状態を示す図である。
【図１１】吸水性ポリマーを使用した従来の土のう袋を示す図である。
【図１２】吸水性ポリマーを使用した従来の土のう袋に注水する様子を示す図である。
【発明を実施するための形態】
【００２３】
以下、本発明の実施の形態を、図面を参照して詳細に説明する。  図１は、本実施の形態に係る土のう袋の構成を示す断面図である。  図１に示すように、土のう袋１００は、外袋１１０、内袋１２０、および吸水体１３０を備えている。  
【００２４】
土のう袋１００による土のうの形成は、土のう袋１００の内部に水を注水し、注水した水を吸水体１３０が吸水して膨張することで、従来の土のう袋の内部に詰めていた土砂の代わりに、水を吸水した吸水体１３０が担うことで、土のうとしての機能を果たすことができるものである。  
【００２５】
外袋１１０は、例えば麻やポリエチレン材などで織り込まれた織布による平らな袋体であって、外袋１１０の上部に設けられた開口部の下には、開口部を閉じるための綴じ紐１１１が備えられている。  
【００２６】
また外袋１１０の外周面には、土のう袋１００に注水した際に、水を入れる適切な量を示すための注水線１１２が備えられている。作業者は、この注水線１１２を確認しながら注水を行う。  
【００２７】
内袋１２０は、外袋１１０の内側に設けられ、内部に吸水体１３０を収容するための上部が開口された平らな袋体である。平らな袋体を利用することで、マチ付きの袋体よりも形成される角部が少なくなり、角部に溜まる吸水体１３０を低減させることができる。  
【００２８】
また内袋１２０は内部に収容される吸水体１３０を、紫外線から保護するためのものでもあり、例えば有色不透明のポリエチレンなどによる不透水性のビニール袋で形成される。  
【００２９】
具体的には、黒色に着色されたポリエチレンなどによる不透水性のビニール袋を外袋１１０の内側に設けることで、外部から照射される紫外線から内部に収容される吸水体１３０を保護することができる。  
【００３０】
さらに、外袋１１０の内側に黒色に着色されたポリエチレンなどによる不透水性のビニール袋からなる内袋１２０を設けることで、日中の日差しを浴びて外袋１１０および内袋１２０の内部に収容された吸水体１３０が高温になることを防止することができる。  
【００３１】
また内袋１２０の閉口された底部の両端には隅部１２１が形成されており、この隅部１２１付近に内部に収容される吸水体１３０が進入してしまうことを防止するための隔壁部１２２が形成されている。  
【００３２】
隔壁部１２２は、内袋１２０の閉口された底部から、内袋１２０の縦方向の側面の端部にわたって内袋１２０の表面と裏面との内側が例えば熱溶着などで溶着された溶着壁である。  
【００３３】
この隔壁部１２２を隅部１２１より内側の内袋１２０内部に形成することで、内袋１２０の内部に吸水体１３０が収容される内部領域と、内袋１２０の閉口された底部の両端に形成された隅部１２１とを分離することができ、吸水体１３０が隅部１２１に入り込んでしまうことを防止することができる。  
【００３４】
これにより、注水時に隅部１２１付近に溜まって攪拌されにくい吸水体１３０が生じてしまうことを防止することができるので、土のう袋１００の内部に収容された吸水体１３０が偏ることなく容易に攪拌することができる。  
【００３５】
吸水体１３０は、注水された水を吸水するためのものであり、例えば粉末状の吸水性ポリマーである。この吸水体１３０が、注水された水の中で攪拌されながら吸水し、やがて固化する。また吸水体１３０は、細断された吸水性ポリマーシートであってもよい。  
【００３６】
なお、本実施の形態では
、外袋１１０に内袋１２０を収容する例で示すが、外袋１１０の内側に内袋１２０を圧着させ、一体化することもできる。この場合、内袋１２０が一体化した外袋１１０の閉口された底部の両端に形成される隅部に吸水体１３０が進入してしまうことを防止するための隔壁部を形成することもできる。  
【００３７】
図２は、外袋の詳細を示す図である。  図２に示すように、外袋１１０は、綴じ紐１１１および注水線１１２を備えている。  外袋１１０は、縦幅６００ｍｍ×横幅４８０ｍｍで形成される麻やポリエチレン材などで織り込まれた織布による平らな袋体である。  
【００３８】
織布による袋を外袋１１０とすることで、内容物を詰めた土のう袋１００を積み上げた際に、織布の摩擦力によって土のう袋１００の位置ズレや崩壊などを防止することができる。  
【００３９】
外袋１１０の上部には開口部が設けられ、開口部の下には開口部を閉じるための綴じ紐１１１が巾着袋のように設けられている。綴じ紐１１１は、外袋１１０に設けられた筒状の紐通し部に綴じ紐１１１が通され、綴じ紐１１１を一方向に引っ張ることで開口部を閉じることができる。  
【００４０】
外袋１１０の外周面には、土のう袋１００に注水した際に、水を入れる適切な量を示すための注水線１１２が備えられている。外袋１１０の外周面だけでなく、内周面にも注水線１１２を備えることで、土のう袋１００の内側からも注水量を確認しながら注水することができる。  
【００４１】
図３は、内袋の詳細を示す図である。  図３に示すように、内袋１２０は、縦幅５８０ｍｍ×横幅５００ｍｍで形成される有色不透明のポリエチレンなどによる不透水性のビニール袋である。  
【００４２】
内袋１２０は、外袋１１０の内部に収容され、注水した水や水を含んだ吸水体１３０が外袋１１０の外部に漏出することを防ぐことができる。  また内袋１２０は、内部に収容される吸水体１３０を紫外線から保護するためのものでもあり、紫外線から保護するために、例えば有色不透明のポリエチレンのような素材のビニール袋で形成される。  
【００４３】
なお紫外線は色によって紫外線を遮断する遮断率が異なる。また透明度が高いほど紫外線の透過率は高くなるため、内袋１２０の色は紫外線を遮断する遮断率が高い黒色に着色されることが好ましく、さらに紫外線の透過率を低くするため透明度を低くした有色不透明にすることが望ましい。  
【００４４】
また内袋１２０は、紫外線から吸水体１３０を色による紫外線遮断効果で保護するだけでなく、内袋１２０を紫外線吸収剤や紫外線散乱剤を含有した素材で形成することで、内部に収容される吸水体１３０を紫外線から保護することもできる。  
【００４５】
紫外線吸収剤を内袋１２０に含有させることで、内袋１２０に紫外線が照射されても、内袋１２０に含有された紫外線吸収剤が、照射された紫外線を熱エネルギーなどに変換させて外部に放出させることができる。これにより、内部に収容された吸水体１３０を紫外線から保護することができる。  
【００４６】
また紫外線散乱剤を内袋１２０に含有させることで、内袋１２０に紫外線が照射されても、内袋１２０に含有された紫外線散乱剤が、照射された紫外線を散乱させて反射させることができる。これにより、内部に収容された吸水体１３０を紫外線から保護することができる。  
【００４７】
なお、紫外線吸収剤として使用される成分としては、メトキシケイヒ酸オクチル、ジメトキシベンジリデンジオキソイミダゾリジンプロピオン酸オクチル、ジエチルアミノヒドロキシベンゾイル安息香酸ヘキシル、ｔ−ブチルメトキシジベンゾイルメタン、オクチルトリアゾン、パラメトキシケイ皮酸２−エチルヘキシルなどが挙げられ、紫外線散乱剤として使用される成分としては、酸化チタンや酸化亜鉛などが挙げられる。  
【００４８】
また内袋１２０の閉口された底部の両端には隅部１２１が形成されており、この隅部１２１付近に内部に収容される吸水体１３０が進入してしまうことを防止するための隔壁部１２２が形成されている。  
【００４９】
隔壁部１２２は、内袋１２０の閉口された底部から、内袋１２０の縦方向の側面端部にわたって内袋１２０の表面と裏面との内側が例えば熱溶着などで溶着された溶着壁である。  
【００５０】
具体的な例としては、内袋１２０の閉口された底部における隅部１２１から１１０ｍｍの地点から内袋１２０の縦方向の側面端部にわたって１５０ｍｍの隔壁部１２２が形成される。  
【００５１】
この場合、内袋１２０の閉口された底部の両端部には、隔壁部１２２によって分離された底辺１１０ｍｍ、斜辺１５０ｍｍ、高さ１０２ｍｍの直角三角形状の分離領域１２３が形成される。  
【００５２】
この分離領域１２３は、隔壁部１２２によって分離されていればよいが、分離領域１２３全体を例えば熱溶着などで内袋１２０の表面と裏面との内側を溶着することで、隅部１２１付近に内部に収容される吸水体１３０が進入してしまうことを防止するようにしてもよい。  
【００５３】
また、分離領域１２３のうち隔壁部１２２の部分のみを残し、隔壁部１２２を除いた分離領域１２３の部分を除去しても、隔壁部１２２により内袋１２０の内側に吸水体１３０が留まるので、本実施の形態と同様に内袋１２０の内部で吸水体１３０は攪拌される。  
【００５４】
また分離領域１２３の高さは１０２ｍｍであり、内袋１２０の高さ５８０ｍｍに対して約１／５の高さである。これは、土のう袋１００の内部に収容された水を含んだ吸水体１３０が外部に漏出しないようには、開口された土のう袋１００の上部を縛って閉口する必要があるが、この開口部を縛って閉口するために十分な高さを得るために、分離領域１２３の高さを必要以上に高くしないことが必要である。  なお、本発明の実施の形態では、注水線１１２を外袋１１０の外周面に設けたが、注水線１１２を内袋１２０に設けることもできる。  
【００５５】
図４は、分離領域の形状例を示す図である。  図４（Ａ）に示すように、内袋１２０の閉口された底部の両端部には、隔壁部１２２によって分離された分離領域１２３が設けられており、内袋１２０の閉口された底部から内袋１２０の側面の端部にかけて、直線状に隔壁部１２２が形成されている。  
【００５６】
一方で、図４（Ｂ）では、内袋１２０の閉口された底部の両端部には、隔壁部１２２によって分離された分離領域１２３が設けられており、内袋１２０の閉口された底部から内袋１２０の側面の端部にかけて、隅部１２１側に屈曲した曲線状に隔壁部１２２が形成されている。  
【００５７】
図４（Ｂ）のように曲線状に隔壁部１２２を形成することで、図４（Ａ）と比較しても角部が形成することなく分離領域１２３を設けることができる。これにより、角部に吸水体１３０が溜まってしまうことを抑制することができる。  
【００５８】
図５は、吸水体の詳細を示す図である。  図５に示すように、吸水体１３０は、粉末状に形成されたＳＡＰ（Superabsorbent polymer）と呼ばれる高吸水性高分子から構成される粉末状の高吸水性樹脂１３１の集合体であって、高吸水性樹脂１３１から構成される吸水体１３０は内袋１２０内に収容される。  
【００５９】
吸水体１３０を内袋１２０内への主要する収容量は、吸水体１３０が吸水する吸水量によって適宜調節される。本実施の形態では、高吸水性樹脂１３１で構成される吸水体１３０を内袋１２０内へ３２０ｇ収容する。  
【００６０】
高吸水性樹脂１３１は、特に高い水分保持性能を備えており、自重の約３５０倍から６００倍の水を吸収しゲル状態を形成するものである。高吸水性樹脂１３１から構成される吸水体１３０が吸収した水は、多少の圧力をかけても水を放出することなくゲル状態を保持することができる。  
【００６１】
高吸水性樹脂１３１は、アクリル塩酸系で３次元に架橋された分子構造により、高吸水性樹脂１３１が水に触れると、カルボキシル基がイオン化し親水性が高まった分子鎖が水に溶けようと広がる。  
【００６２】
これと同時にイオン濃度差によって生じる浸透圧で分子鎖間に水が入り込むとともに、マイナスイオン同士であるイオンの反発力によって３次元架橋で制限された領域まで分子鎖が広がり、分子鎖の内部に水が取り込まれた状態になる。  
【００６３】
これにより、水に溶けようとして広がる分子鎖の作用と、架橋構造によって分子鎖の広がりを制限する作用とによって、高吸水性樹脂１３１は、速い吸水スピードと、高い吸水力とを得ることができる。  
【００６４】
図６は、吸水体による吸水の前後を示す図である。  図６に示すように、吸水体１３０を構成する高吸水性樹脂１３１は、注水された水を分子鎖の内部に取り込むことで吸水し膨張する。  
【００６５】
高吸水性樹脂１３１が吸水して膨張することで、吸水体１３０の容積は増加する。これにより水を溜め込んだ吸水体１３０が、土のう袋１００の内部を満たすことができる。  また、高吸水性樹脂１３１が吸水してゲル化することで、吸水体１３０が土のう袋１００内で安定し、土のう袋１００が一定の形状を保持することができる。  
【００６６】
図７は、土のうの形成工程の一部である注入開始準備状態を示す図である。  図７に示すように、土のう袋１００は、例えば外袋１１０の上端部１１３および内袋１２０の上端部１２１を外側に折り返して上部開口部を広げた状態で地面２０の上に開口状態で安定させる。  
【００６７】
このとき、土のう袋１００と地面２０とが接する部分では、外袋１１０および内袋１２０の内部に収容された吸水体１３０の重量により吸水体１３０が土のう袋１００の外側に広がる。  
【００６８】
ところが、内袋１２０の閉口された底部の両端には、隔壁部１２２によって分離された分離領域１２３が形成されているため、吸水体１３０を内部に含まない分離領域１２３だけが外側に広がることになる。これにより吸水体１３０が隅部１２１付近に溜まることがなくなる。  
【００６９】
図８は、土のうの形成工程の一部である注水工程を示す図である。  図８に示すように、外袋１１０の上端部１１３および内袋１２０の上端部１２１を外側に折り返して上部開口部を広げた状態で地面２０の上に開口状態で安定させ、土のう袋１００の中に水２００を注水する。  
【００７０】
水２００の水は、注水線１１２まで注水することで、約１５リットルの水２００を土のう袋１００の内部に注水することができる。また本実施の形態では、水２００を注水する例として挙げたが、水２００の代わりに泥水をくみ上げて用いてもよい。また尿などの水分を利用することもできる。  
【００７１】
このように上端部１１３および上端部１２１を一緒に外側に折り曲げることで、外袋１１０と内袋１２０とが開口部で一体化し、注水しても外袋１１０と内袋１２０とが位置ズレが生じることがない。  
【００７２】
また上端部１１３および１２１を形成することで、ここでは図示しない綴じ紐１１１が外側に折り込まれるので、土のう袋１００の内部で吸水体１３０を攪拌しても、綴じ紐１１１が汚れることがない。  
【００７３】
このため、綴じ紐１１１が吸水したゲル状の吸水体１３０によって汚れてしまうと土のう袋１００の開口部を縛り上げる際に、縛りづらくなるという問題を解消することができる。  
【００７４】
また、土のう袋１００の内部に水２００を注水線１１２まで注水することで、粉末状の吸水体１３０は内袋１２０の内部で水２００と自然に攪拌される。  例えば、土のう袋１００の内部に水２００を注水すると、図８の矢印のように、土のう袋１００の底部に接した水２００は外側方向に広がり、やがて内袋１２０に形成された隔壁部１２２に到達する。  
【００７５】
隔壁部１２２は、内袋１２０の底部から側面に沿って形成されているため、水２００も隔壁部１２２に沿って移動する。やがて水２００は重力によって内側になだれ込み、注水された水２００と共に内袋１２０の内部を渦状に流れる。これにより吸水体１３０は、分離領域１２３を除く内袋１２０の内部で攪拌される。  
【００７６】
また高吸水性樹脂１３１は粉末状に形成されているため、水２００を注水して水２００が内袋１２０の内部で渦状に流れることで、高吸水性樹脂１
３１と水２００とが自然に攪拌される。このため、高吸水性樹脂１３１の給水時間を短縮することができる。また攪拌されながら高吸水性樹脂１３１が吸水することで、土のう袋１００の吸水体１３０が均一した状態で水２００を吸水することができる。  
【００７７】
また従来の土のう袋１０では、土のう袋１０の底部両端部で折り重なった部分に、吸水体１２が残ってしまうことがあったが、本実施の形態の土のう袋１００のように、土のう袋１００の底部両端部で折り重なる部分に、吸水体１３０が入り込んでしまうことを防止する分離領域１２３を設けることで、土のう袋１００の底部両端部で折り重なる部分に吸水体１３０が残ってしまうことを防止することができる。  
【００７８】
図９は、土のうの形成工程の一部である注水工程の後の状態を示す図である。  図９に示すように、注水工程を行うと、すぐに吸水体１３０は水２００を吸水して膨張してゲル化する。  
【００７９】
注水することで水２００を均等に吸水した高吸水性樹脂１３１による吸水体１３０の体積は増加し、土のう袋１００の内部に吸水した吸水体１３０が安定するため、膨張した吸水体１３０は、高吸水性樹脂１３１を含んだ状態でゲル状になって土のう袋１００の内部で留まる。  
【００８０】
図１０は、吸水した吸水体を含んだ土のう袋を縛る状態を示す図である。  図１０に示すように、水２００を吸水した吸水体１３０を内部に含んだ土のう袋１００の綴じ紐１１１を一方向に引っ張りながら開口部を閉じる。  
【００８１】
引っ張った綴じ紐１１１は、絞って閉じられた土のう袋１００の口の下を２〜３回廻し、廻した綴じ紐１１１の端を絞った元の綴じ紐１１１に巻き込むように通して強く引っ張り上げることで、土のう袋１００の開口部を閉じることができる。
【符号の説明】
【００８２】
１０、１００  土のう袋  １１、１１０  外袋  １１Ａ、１１１  綴じ紐  １１Ｂ  折返部  １１Ｃ  下側隅部  １２、１３０  吸水体  ２０  地面  ３０、２００  水  １１２  注水線  １１３、１２１  上端部  １２０  内袋  １２１  隅部  １２２  隔壁部  １２３  分離領域  １３１  高吸水性樹脂 
【図１】
2020133107.tif 000003
【図２】
2020133107.tif 000004
【図３】
2020133107.tif 000005
【図４】
2020133107.tif 000006
【図５】
2020133107.tif 000007
【図６】
2020133107.tif 000008
【図７】
2020133107.tif 000009
【図８】
2020133107.tif 000010
【図９】
2020133107.tif 000011
【図１０】
2020133107.tif 000012
【図１１】
2020133107.tif 000013
【図１２】
2020133107.tif 000014